(57)【要約】【課題】登録されたジョブの自動順序変更が実行された際に、逆順となったジョブをユーザーが容易に区別することを可能にする。【解決手段】ジョブに基づいて用紙に画像形成を行う画像形成部と、登録された複数のジョブを管理し、該ジョブに関する出力および排紙を制御する制御部を備え、制御部は、出力前の登録された前記複数のジョブの出力順序を自動的に変更する出力順序自動変更機能を有し、該出力順序自動変更機能に基づいて前記ジョブの出力順序を変更した場合、変更に伴って前記出力順序を逆順にした前記ジョブに係る出力用紙と、その他の前記ジョブに係る出力用紙とを区別できるように排紙する（排紙先の変更、仕切紙の挿入、配置位置の変更など）制御を行うことで、ユーザーが出力された用紙の順序を入れ替える必要がなく、出力結果を効率的に取得できる。【選択図】図１
2011257618.tif 000002
【特許請求の範囲】
【請求項１】
ジョブに基づいて用紙に画像形成を行う画像形成部と、登録された複数のジョブを管理し、該ジョブに関する出力および排紙を制御する制御部と、を備え、
前記制御部は、出力前の登録された前記複数のジョブの出力順序を自動的に変更する出力順序自動変更機能を有し、該出力順序自動変更機能に基づいて前記ジョブの出力順序を変更した場合、変更に伴って前記出力順序を逆順にした前記ジョブに係る出力用紙と、その他の前記ジョブに係る出力用紙とを区別できるように排紙する制御を行うことを特徴とする画像形成装置。
【請求項２】
前記制御部は、出力順序を逆順にした前記ジョブに係る出力用紙と、その他の前記ジョブに係る出力用紙とを異なる排紙先に排紙する制御を行うことを特徴とする請求項１記載の画像形成装置。
【請求項３】
前記制御部は、出力順序を逆順にした前記ジョブの出力用紙前後に仕切紙を挿入して排紙することを特徴とする請求項１または２に記載の画像形成装置。
【請求項４】
前記制御部は、出力順序を逆順にした前記ジョブに係る出力用紙前後に仕切紙を挿入して、その他のジョブに係る出力用紙と同じ排紙先に排紙することを特徴とする請求項３に記載の画像形成装置。
【請求項５】
前記制御部は、出力順序を逆順にした前記ジョブに係る出力用紙と、その他のジョブの出力用紙とを排紙位置を変えて排紙することを特徴とする請求項１〜４のいずれか１項に記載の画像形成装置。
【請求項６】
前記制御部は、出力順序を逆順にした前記ジョブに係る出力用紙を、その他のジョブに係る出力用紙に対しシフトして同じ排紙先に排紙することを特徴とする請求項５記載の画像形成装置。
【請求項７】
前記制御部は、出力順序を逆順にした前記ジョブに係る出力用紙と、その他のジョブに係る出力用紙とを向きを変えて同じ排紙先に排紙することを特徴とする請求項５記載の画像形成装置。
【請求項８】
前記制御部は、出力順序を逆順にした前記ジョブを該ジョブで指定された排紙先とは別の排紙先に排紙可能か否かを判定し、排紙可能である場合、出力順序を逆順にした前記ジョブに係る出力用紙を前記別の排紙先に排紙することを特徴とする請求項１〜７のいずれかに記載の画像形成装置。
【請求項９】
前記制御部は、出力順序を逆順にした前記ジョブを該ジョブで指定された排紙先とは別の排紙先で出力順序が逆順にならないように排紙可能か否かを判定し、排紙可能である場合、出力順序を逆順にした前記ジョブに係る出力用紙を前記別の排紙先に排紙することを特徴とする請求項１〜７のいずれかに記載の画像形成装置。
【請求項１０】
前記判定が排紙不可である場合、排紙出力順序を逆順にした前記ジョブの出力用紙を他のジョブの出力用紙と区別できるように前記他のジョブと同じ排紙先に排紙することを特徴とする請求項８または９に記載の画像形成装置。
【請求項１１】
前記制御部は、出力順序を逆順にした前記ジョブがある場合、該ジョブに逆順を示すパラメータを付与し、該パラメータに従って出力順序を逆順にした前記ジョブに係る出力用紙と、その他のジョブに係る出力用紙とを区別できるように前記排紙を行うことを特徴とする請求項１〜１０のいずれか１項に記載の画像形成装置。
【請求項１２】
前記制御部によって制御される表示部を有し、前記制御部は、前記出力順序自動変更機能に基づいて前記ジョブの出力順序を変更して、出力順序を逆順にしたジョブに係る出力用紙と、その他のジョブに係る出力用紙とを区別できるように排紙する場合、前記表示部に前記排紙に関する通知を行う制御を行うことを特徴とする請求項１〜１１のいずれか１項に記載の画像形成装置。
【請求項１３】
前記制御部は、前記出力順序自動変更機能に基づいて前記ジョブの出力順序を変更して、出力順序を逆順にしたジョブに係る出力用紙と、その他のジョブに係る出力用紙とを異なる排紙先に排紙する場合、前記排紙に関する通知として、少なくとも出力順序を逆順にしたジョブに係る出力用紙の排紙先を前記表示部に表示する制御を行うことを特徴とする請求項１２記載の画像形成装置。
【請求項１４】
前記制御部は、前記出力順序自動変更に伴って、前記出力順序を逆順にした前記ジョブと、その他の前記ジョブに係る出力用紙と区別できるように排紙する制御を行うか否かを設定可能であることを特徴とする請求項１〜１３のいずれかに記載の画像形成装置。
【請求項１５】
前記制御部は、前記複数のジョブの出力順序が手動で変更された場合、ジョブの出力順序を逆順にしたジョブと、その他のジョブに係る出力用紙とを前記区別をした排紙を行うことなく前記排紙先に排紙することを特徴とする請求項１〜１４のいずれか１項に記載の画像形成装置。
【発明の詳細な説明】
【技術分野】
【０００１】
この発明は、ジョブに基づいて画像形成を行い、複数のジョブを管理して該ジョブの出力順序を自動的に変更できる画像形成装置に関するものである。
【背景技術】
【０００２】
ジョブに基づいて画像形成を行う画像形成装置では、複数のジョブを管理して順次、実行して出力を行うことができる。この際に、ジョブは出力順序が設定されており、通常は、ジョブの登録順に出力順序が決定される。ジョブの出力順序は通常、手動で変更が可能であり、特定のジョブの順番を繰り上げたり、繰り下げたりすることができる。該変更入力は画像形成装置に備える操作部によって行うことができ、ジョブを管理する制御部では、変更入力された出力順序に従ってジョブの出力を行う。
【０００３】
また、画像形成装置では、特定の関係のジョブを連続して処理した方がよい場合や、特定のジョブの処理を後送りした方がよい場合などに、出力前のジョブの順番を自動的に変更する出力順序自動変更機能を有するものが知られている。
特許文献１では、出力前ではないが、画像形成中のジョブに障害が発生した場合、当該ジョブを中断し、記憶されているジョブの中から実行可能なジョブを繰り上げて、中断ジョブの出力先とは異なる出力先に出力する画像形成装置が提案されている。
【先行技術文献】
【特許文献】
【０００４】
【特許文献１】特開２００１−２５７８２５号公報
【発明の概要】
【発明が解決しようとする課題】
【０００５】
しかし、前記特許文献１で提案されている画像形成装置は、ジョブの中断事由が発生した場合に、実行可能なジョブのみを対象としてジョブの順番を変え、順番を変えたジョブの出力用紙を異なる排紙先に出力するものであり、実行契機はジョブの中断発生時に限定される。
ところで、連続して複数のジョブを出力する際に、前記したように、ジョブの中断とは無関係に、上記出力順序自動変更機能によって出力前の登録されているジョブの出力順序が変更されることがある。その場合、適正な出力が行われても排紙順序が当初予定された順序とは異なったものになり、ユーザーが出力結果を確認して排紙順序をユーザーが入れ替えることが必要になる場合がある。また、順序が自動で入れ替えられることによってジョブ間での出力物の区切りが分かりにくくなり、出力結果を効率的に取得できないという問題が生じる。
【０００６】
本発明は、上記事情を背景としてなされたものであり、登録して管理されている複数ジョブの出力順序が自動的に変更された場合に、ユーザーによるジョブ出力用紙の順序入れ替えを不要にし、また出力結果を効率的に取得できる画像形成装置を提供することを目的とする。
【課題を解決するための手段】
【０００７】
以上説明したように、本発明の画像形成装置によれば、ジョブに基づいて用紙に画像形成を行う画像形成部と、登録された複数のジョブを管理し、該ジョブに関する出力および排紙を制御する制御部と、を備え、
前記制御部は、出力前の登録された前記複数のジョブの出力順序を自動的に変更する出力順序自動変更機能を有し、該出力順序自動変更機能に基づいて前記ジョブの出力順序を変更した場合、変更に伴って前記出力順序を逆順にした前記ジョブに係る出力用紙と、その他の前記ジョブに係る出力用紙とを区別できるように排紙する制御を行うことを特徴とする。
【０００８】
上記出力順序の自動変更は、予め定めた規則に従って一部ジョブの出力順序の繰り上げまたは繰り下げによって行われる。出力順序の自動変更が行われる要因としては、例えば、定着温度、ジョブの切換時間の長さ、画質調整と後処理の時期、搬送速度、給紙トレイ、同一用紙、フォント、解像度を一致させる等が挙げられる。これら条件を考慮して出力する順序を決定することで処理効率の向上効果などが得られる場合があり、したがって本発明の画像形成装置では出力順序自動変更機能が備えられている。
さらに本発明では、上記出力順序の自動変更に伴って、登録時の出力順序とは異なり、一部で逆順の状態を作り出したジョブの出力用紙は、他のジョブの出力用紙と区別して排紙される。
【０００９】
上記出力用紙を区別した排紙は、１つの形態として上記ジョブ間の出力用紙を異なる排紙先に排紙することによって行うことができる。これにより、異なる排紙先において、出力用紙の出力順序を、ジョブを登録した際の順序に沿った形にすることができ、ユーザーが出力順序を入れ替える作業が不要になり、出力結果の取得も容易になる。
なお、逆順にしたジョブの出力用紙を、他のジョブの出力用紙と異なる排紙先に排紙する際に、逆順にしたジョブの出力用紙を排紙する別の排紙先において、さらに２以上のジョブ間で出力順序が逆順になる場合、これらを区別して排紙するのが望ましい。さらに別の排紙先があれば、逆順にしたジョブを、前記二つの排紙先以外の排紙先に排紙する。
【００１０】
また、上記出力用紙を区別した排紙の他の形態として、逆順にしたジョブの出力用紙の前後に仕切紙を挿入して逆順になったジョブ間の区切りを分かりやすくすることが可能である。これによりユーザーは、出力結果の取得を効率的に行うことができ、逆順にしたジョブの出力用紙と、それ以外のジョブの出力用紙とを同じ排紙先に排紙する際にも、ユーザーは両者を容易に区別することができる。
仕切紙は出力用紙と明確に区別できるものであればよく、出力用紙と色が異なる色紙、出力用紙とサイズが異なる用紙、出力用紙と向きを変えた用紙、出力用紙と紙種が異なる用紙、などを仕切紙として使用することができる。要は、出力用紙と区別容易なものであればよく、上記例のものに限定されるものではない。
【００１１】
また、上記出力用紙を区別した排紙の他の形態として、逆順にしたジョブの出力用紙と、その他のジョブの出力用紙とを排紙位置を変えて排紙することができる。排紙位置を変えるものとしては、幅方向において排紙の位置が異なるシフト排紙により行うものが例示される。この他に、排紙位置を変えた排紙として、用紙の向き（縦横）を変えて排紙するものが挙げられる。排紙位置を変えることで、両ジョブ間での出力用紙の区切りがユーザーによって容易に分かり、出力結果を効率的に取得することができる。
【００１２】
出力用紙を区別して排紙する際に、排紙先を変えて排紙するか否かは、制御部において、別の排紙先に排紙可能か否かを判定し、判定結果に基づいて決定することができる。すなわち、異なる排紙先に排紙可能な場合には、逆順にしたジョブの出力用紙と、その他のジョブの出力用紙とを異なる排紙先に排紙し、異なる排紙先に排紙不可の場合には、逆順にしたジョブの出力用紙と、その他のジョブの出力用紙とを同じ排紙先に排紙するようにしてもよい。別の排紙先に排紙不可で同じ排紙先に排紙する際には、仕切紙を用いたり排紙位置を変えたりして区別できるように排紙してもよい。
【００１３】
また、前記判定では、他のジョブの出力用紙が排紙される排紙先と別の排紙先に排紙しようとする際に、逆順にならないように複数のジョブに係る出力用紙を排紙できるか否かを判定するようにしてもよい。逆順にならないように排紙できる場合には、上記の別の排紙先に排紙する。別の排紙先があっても逆順にならないように排紙できない場合、さらに別の排紙先がない場合には、他のジョブの出力用紙と区別できるように排紙する。例えば、上記仕切紙を用いたり配置位置を変えたりすることによって区別を可能にする。
【００１４】
なお、変更に伴ってジョブの出力順序を逆順にしたか否かは、出力順序を変更することで前後のジョブとの間で出力順序の逆順を生じさせたジョブに逆順パラメータを付与することで容易に判定が可能である。該判定は制御部で行う。逆順パラメータが付与されたジョブは、前記したようにその他のジョブの出力用紙と区別できるように出力用紙の排紙を行う。
【００１５】
また、制御部では、前記出力順序自動変更がなされて、出力順序を逆順にしたジョブに係る出力用紙と、その他のジョブに係る出力用紙とを区別できるように前記排紙先に排紙する場合、表示部にその旨の通知を行うのが望ましい。また、この際の通知として、排紙される排紙先の情報や、区別の方法（仕切紙挿入、排紙位置変更）などの情報をユーザーが容易に確認できるように表示部に表示するのが望ましい。
【００１６】
なお、制御部では、出力順序自動変更がされた場合にのみ、上記の区別した排紙を行うようにして、手動で出力順序が変更された場合には、区別した排紙を行わないものとすることができる。
【発明の効果】
【００１７】
以上説明したように、本発明の画像形成装置によれば、ジョブに基づいて用紙に画像形成を行う画像形成部と、登録された複数のジョブを管理し、該ジョブに関する出力および排紙を制御する制御部と、を備え、
前記制御部は、出力前の登録された前記複数のジョブの出力順序を自動的に変更する出力順序自動変更機能を有し、該出力順序自動変更機能に基づいて前記ジョブの出力順序を変更した場合、変更に伴って前記出力順序を逆順にした前記ジョブに係る出力用紙と、その他の前記ジョブに係る出力用紙とを区別できるように排紙する制御を行うので、登録ジョブの自動順序変更発生時に、複数の排紙先が使用可能な場合、逆順となったジョブを出力予定の排紙先とは異なる排紙先に出力したり、逆順となったジョブの排紙時に、区切り紙を挿入したり排紙位置をシフトしたりすることで、ユーザーが出力された用紙の順序を入れ替える必要がなく、また、出力結果を効率的に取得できる効果がある。
【図面の簡単な説明】
【００１８】
【図１】本発明の一実施形態の画像形成装置における機械的構成を示す図である。
【図２】同じく、制御ブロック図である。
【図３】同じく、ジョブ出力順序自動変更による排紙制御において逆順パラメータを付与する手順を示すフローチャートである。
【図４】同じく、ジョブ出力順序自動変更による排紙制御において排紙先を変更して出力する手順を示すフローチャートである。
【図５】同じく、排紙先を変更して出力するジョブの関係を説明する図である。
【図６】同じく、ジョブ出力順序自動変更による排紙制御において仕切り紙を挿入して出力する手順を示すフローチャートである。
【図７】同じく、ジョブ出力順序自動変更による排紙制御において排紙位置をシフトして出力する手順を示すフローチャートである。
【図８】同じく、排紙先を変更した場合の表示操作部への通知例を示す図である。
【発明を実施するための形態】
【００１９】
以下に、本発明の一実施形態を添付図面に基づいて説明する。
図１は、本発明の画像形成装置１の機械的構成を示す図であり、画像形成装置本体１０と後処理装置３０とを有している。なお、この実施形態では、後処理装置を備える画像形成装置について説明するが、本発明としては、後処理装置を備えないものであってもよい。また、この実施形態では、排紙先が後処理装置に備えられている。
【００２０】
画像形成装置本体１０は、画像読取部１１、画像処理部１２、画像書込部１３、画像形成部１４、給紙カセット１５、給紙部１６、定着装置１７、排紙ローラ１８を備えている。
画像形成装置本体１０の上部には、自動原稿送り装置ＡＤＦが搭載されており、該自動原稿送り装置ＡＤＦの側方に表示操作部１９が配置されている。
画像形成装置本体１０の図示の左側面の排紙ローラ１８側には、後処理装置３０が連結されている。
【００２１】
自動原稿送り装置ＡＤＦの原稿台上に載置された原稿は矢印方向に搬送され、画像読取部１１の光学系により原稿の画像がＣＣＤイメージセンサ１１Ａに結像されて読み込まれる。
ＣＣＤイメージセンサ１１Ａにより光電変換されたアナログ信号は、画像処理部１２において、アナログ処理、Ａ／Ｄ変換、シェーディング補正、画像圧縮処理等を行った後、画像書込部１３に送られる。
画像形成時には、画像書込部１３の半導体レーザから原稿画像に応じた出力光が発せられ、画像形成部１４の感光体ドラム１４Ａが照射されて潜像を形成する。画像形成部１４においては、帯電、露光、現像、転写、分離、クリーニング等の処理が行われる。
給紙カセット１５から給紙部１６により給送された用紙Ｓ１は、現像処理により潜像をトナー像とされた感光体ドラム１４Ａに当接し、転写手段１４Ｂによりトナー像を転写される。
トナー像を担持した用紙Ｓ１は、定着装置１７により定着され、排紙ローラ１８から後処理装置３０に送り込まれる。
【００２２】
後処理装置３０は、用紙搬入部３１と、後処理を行う後処理部３２と、複数の搬送経路Ｈ１、Ｈ２と、複数の排紙先としてメイントレイ３３とサブトレイ３４とを有する。
用紙搬入部３１は、画像形成装置本体１０から排出された用紙を受け入れ、搬送経路Ｈ１または搬送経路Ｈ２において用紙を搬送する。
後処理部３２としては、例えば、穴あけ処理部、重ね合わせ処理部、折り処理部、綴じ処理部等が挙げられる。該後処理部３２で後処理が行われた用紙または後処理が行われなかった用紙は、メイントレイ３３またはサブトレイ３４に排紙される。
【００２３】
図２は、本発明の画像形成装置１における一部の制御ブロックを示す図である。
制御部２０は、画像形成装置１全体を制御するものであり、各部制御の他、登録されたジョブの管理を行う。制御部２０は、ＣＰＵおよび該ＣＰＵを動作させるプログラムを主として構成されている。制御部２０には、前記ＣＰＵ２０Ａ、プログラムのワークエリアなどとして機能するＲＡＭ２０Ｂ、プログラムなどが収納されたＲＯＭ２０Ｃ、ジョブの管理を行うＪＯＢ管理部２０Ｄなどが含まれる。ＪＯＢ管理部２０Ｄは、ジョブの管理を実行する前記プログラムの一部と、管理データを不揮発に格納するフラッシュメモリなどによって構成することができる。
【００２４】
該制御部２０には、前記画像読取部１１が制御可能に接続されている。画像読取部１１は、制御部２０の制御を受けて原稿の画像を読み取り、ＣＣＤイメージセンサ１１Ａによって画像データを取得する。自動原稿送り装置ＡＤＦを用いる場合には、制御部２０によって自動原稿送り装置ＡＤＦを制御し、原稿を自動で送りつつ原稿の画像を読み取って画像データを取得する。画像読み取りは、ユーザーの操作によって開始することができ、また、自動原稿送り装置ＡＤＦに原稿をセットすることで自動的に画像読み取りを開始するように設定することもできる。
【００２５】
制御部２０には、画像処理部１２が接続されており、該画像処理部１２では、前記画像読取部１１で取得した画像データに対し、前記アナログ処理、Ａ／Ｄ変換、シェーディング補正、画像圧縮処理等の画像処理が行われる。
また、制御部２０には、画像メモリやＨＤＤなどからなる画像データ格納部２１が制御可能に接続されており、前記画像処理部１２で画像処理がなされた画像データが格納される。制御部２０では、画像データの格納に従って、ＪＯＢ管理部２０Ｄでジョブを登録し、出力、排紙などの管理を行う。ジョブの登録に際しては、ユーザーによって出力順序の指定を行うことが可能であり、登録順に出力順序が定められるものであってもよい。
【００２６】
さらに、制御部２０には画像形成部１４が制御可能に接続されており、画像データ格納部２１から読み出された画像データに基づいて該画像形成部１４で画像形成がされ、用紙に画像が転写されて定着される。
【００２７】
また、制御部２０には、表示操作部１９が制御可能に接続されている。表示操作部１９では、表示部１９Ａ、操作部１９Ｂとを個別に備えるものであってもよく、これら表示部１９Ａと操作部１９Ｂとが一体になったタッチパネルなどによって構成されたものであってもよい。
【００２８】
また、制御部２０には、排紙部２２が制御可能に接続されている。該排紙部２２は、後処理装置３０に備える搬送経路Ｈ１、Ｈ２、メイントレイ３３、サブトレイ３４などによって構成される。排紙部２２は、制御部２０の制御を受けて、排紙先、排紙方法（シフト排紙の有無）、排紙方向などが制御される。
【００２９】
なお、上記制御部２０では、前記したように通常は登録順に出力順序が決定されるが、出力順序自動変更機能が有効である場合、ジョブ登録直後またはその後に、予め定めた規則に従って出力順序を自動的に変更することができる。この際に出力順序が変更されて順序を逆順にしたジョブに逆順パラメータを付与して管理する。
出力順序の自動変更が行われる要因としては、各ジョブにおける、定着温度、ジョブの切換時間の長さ、画質調整と後処理の時期、搬送速度、給紙トレイ、同一用紙、フォント、解像度を一致させる等が挙げられる。例えば、定着温度がジョブによって異なる場合、前のジョブの定着温度と同じ定着温度または近い定着温度で実行されるジョブを連続して行った方が処理効率が向上する。また、ジョブ間でジョブの切換時間が短いジョブを連続して行った方が効率がよい。また、画質調整が同等のジョブを続けた方が効率がよい。
これらの観点から出力順序を変更した方が処理効率が高い場合がある。出力順序の自動変更を行うか否かは、ユーザーによって設定可能にしてもよく、また、初期設定によって自動変更の実行、停止が設定されているものであってもよい。また、出力順序の自動変更がなされる要因をユーザーが選定、設定などできるようにしてもよい。なお、出力順序自動変更は、処理効率の観点で行われるものに限定されるものではなく、例えば耐久性などの観点から行われるようなものでもよく、本発明としてはその要因、規則が限定されるものではない。
【００３０】
次に、出力順序自動変更がなされる際に、制御部２０で行われる制御手順について図３に基づいて説明する。
ジョブ順序の変更がなされると、処理が開始され、ジョブ出力順序の自動変更がなされたか否かの判定がなされる（ステップｓ１）。ジョブの出力順序の変更が手動でなされた場合（ステップｓ１、手動）、処理を終了する。ジョブの出力順序の変更が自動でなされた場合（ステップｓ１、自動）、逆順としたジョブに逆順パラメータを対応付け（ステップｓ２）、処理を終了する。
【００３１】
次に、出力順序自動変更の結果、出力順序を逆順にしたジョブの出力用紙と、その他のジョブの出力用紙を異なる排紙先に排紙して区別可能にする制御手順について図４のフローチャートに基づいて説明する。
先ず、出力順序自動変更の結果として排紙先変更機能が選択されているか否かが判定される（ステップｓ１０）。排紙先変更機能が選択されていなければ（ステップｓ１０、ＮＯ）、処理を終了する。排紙先変更機能が選択されていれば（ステップｓ１０、ＹＥＳ）、登録ジョブの出力タイミングか否かの判定がなされる（ステップｓ１１）。出力タイミングでなければ処理を終了する（ステップｓ１１、ＮＯ）。出力タイミングであれば（ステップｓ１１、ＹＥＳ）、該ジョブに逆順パラメータが付与されているか否かの判定がなされる（ステップｓ１２）。逆順パラメータが設定されていなければ（ステップｓ１２、ＮＯ）、排紙先を変更することなく出力する（ステップｓ１５）。
【００３２】
ステップｓ１２で当該ジョブに逆順パラメータが付与されている場合（ステップｓ１２、ＹＥＳ）、排紙可能な別の排紙先があるか否かの判定を行う（ステップｓ１３）。排紙可能な別の排紙先がある場合（ステップｓ１３、ＹＥＳ）、逆順パラメータが付与されているジョブに関し、排紙先を変更して排紙を行う（ステップｓ１４）。例えば、メイントレイ３３に排紙する設定がなされているジョブに逆順パラメータが付与されている場合、サブトレイ３４に当該ジョブの出力用紙を排紙する。
排紙可能な別の排紙先がない場合（ステップｓ１３、ＮＯ）、排紙先を変更しないで出力する（ステップｓ１５）。なお、この際に、他のジョブの前後の出力用紙と区別できるように、後述する仕切紙の使用や排紙位置の変更を行うようにしてもよい。
上記手順を各ジョブにおいて繰り返して登録されたジョブの出力を順次行う。
【００３３】
ジョブの排紙先変更の概要を図５に基づいて説明する。
登録時のジョブの出力順序が１、２、３、４、５、６、７、８の順に設定されており、何らかの要因によりジョブ出力順序が自動変更されて、ジョブ４、８が繰り上がると、ジョブの出力順序は、１、２、４、３、５、６、８、７の順になり、ジョブ４、８に逆順パラメータが付与される。これらのジョブを出力する場合、図４に示す手順で処理を行うと、各ジョブがメイントレイ３３に排紙する設定がなされていると、逆順パラメータが付与されていないジョブは、設定通りに、１、２、３、５、６、７の順序でメイントレイ３３に排紙される。一方、逆順パラメータが付与されたジョブ４、８は、この順でサブトレイ３４に出力される。
【００３４】
次に、排紙の際に、逆順パラメータが付与された出力用紙の前後に仕切紙を排紙する制御手順について図６のフローチャートに基づいて説明する。
先ず、出力順序自動変更の結果として仕切紙挿入が選択されているか否かが判定される（ステップｓ２０）。仕切紙挿入機能が選択されていなければ（ステップｓ２０、ＮＯ）、処理を終了する。仕切紙挿入機能が選択されていれば（ステップｓ２０、ＹＥＳ）、登録ジョブの出力タイミングか否かの判定がなされる（ステップｓ２１）。出力タイミングでなければ処理を終了する（ステップｓ２１、ＮＯ）。出力タイミングであれば（ステップｓ２１、ＹＥＳ）、該ジョブに逆順パラメータが付与されているか否かの判定がなされる（ステップｓ２２）。逆順パラメータが設定されていなければ（ステップｓ２２、ＮＯ）、仕切紙を挿入することなく出力する（ステップｓ２４）。
ステップｓ２２で当該ジョブに逆順パラメータが付与されている場合（ステップｓ２２、ＹＥＳ）、当該ジョブの出力用紙の前後に仕切紙を挿入して排紙を行う（ステップｓ２３）。
上記手順を各ジョブにおいて繰り返して登録されたジョブの出力を順次行う。
【００３５】
次に、排紙の際に、逆順パラメータが付与された出力用紙をシフトすることで排紙位置を変えて排紙する制御手順について図７のフローチャートに基づいて説明する。
先ず、出力順序自動変更の結果として排紙位置シフト機能が選択されているか否かが判定される（ステップｓ３０）。排紙位置シフト機能が選択されていなければ（ステップｓ３０、ＮＯ）、処理を終了する。排紙位置シフト機能が選択されていれば（ステップｓ３０、ＹＥＳ）、登録ジョブの出力タイミングか否かの判定がなされる（ステップｓ３１）。出力タイミングでなければ処理を終了する（ステップｓ３１、ＮＯ）。出力タイミングであれば（ステップｓ３１、ＹＥＳ）、該ジョブに逆順パラメータが付与されているか否かの判定がなされる（ステップｓ３２）。逆順パラメータが設定されていなければ（ステップｓ３２、ＮＯ）、排紙位置をシフトすることなく出力する（ステップｓ３４）。
ステップｓ３２で当該ジョブに逆順パラメータが付与されている場合（ステップｓ３２、ＹＥＳ）、当該ジョブの出力用紙の排紙位置をシフトして排紙を行う（ステップｓ３３）。
上記手順を各ジョブにおいて繰り返して登録されたジョブの出力を順次行う。
【００３６】
なお、逆順としたジョブを区別可能に排紙する際に、排紙に関する通知を行うのが望ましい。図８は、逆順としたジョブの順番と排紙先を表示操作部１９に表示した通知画面１９０を示すものである。これによりユーザーは出力順序自動変更の実行状況と、排紙方法を容易に把握することができる。
【００３７】
以上、本発明について上記実施形態に基づいて説明を行ったが、本発明は上記実施形態の内容に限定されるものではなく、本発明の範囲を逸脱しない限りは適宜の変更が可能である。
【符号の説明】
【００３８】
１    画像形成装置
１０    画像形成装置本体
１９    表示操作部
１９Ａ  表示部
１９Ｂ  操作部
２０    制御部
２０Ｄ  ＪＯＢ管理部
２２    排紙部
３０    後処理装置
３３    メイントレイ
３４    サブトレイ
【図１】
2011257618.tif 000003
【図２】
2011257618.tif 000004
【図３】
2011257618.tif 000005
【図４】
2011257618.tif 000006
【図５】
2011257618.tif 000007
【図６】
2011257618.tif 000008
【図７】
2011257618.tif 000009
【図８】
2011257618.tif 000010